(57)【要約】      （修正有）【課題】脚立の天足場部に椅子部を設けて腰を降ろして作業をする事ができ脚立の転倒防止を取付けた転倒防止腕及び椅子付き脚立天足場を提供する。【解決手段】天足場の中央部に高さを調整できる椅子を備え、腰を降ろして足の位置を変えると椅子が体と共に回転するために３６０度の広範囲の作業ができる。梨畑や、ぶどう畑では、鉄線イ、ウの棚を十字に張りめぐらせているので、転倒防止腕２９の先端の曲げた部分を其の鉄線イ、ウに引っ掛け、そして足場の上部に面ファスナーバンド３０で巻張することで安心して作業ができる転倒防止腕及２９び椅子付き脚立天足場である。【選択図】図１１
2010236342.tif 000002
【特許請求の範囲】
【請求項１】
天輪外足場（６）に天面足場（７）を着接し天内椅子支持（４）と天中足場（８）と天外椅子支持（９）を介在し椅子支持板（２）を重着し椅子管取付け孔（１）を並列し天足場保持孔（３）と天足場予備孔（１４）を穿設し天下見足場（１０）と天外足場（１１）を介在させ転倒防止支持部（５）を左右に設け転倒防止腕（２９）の下部に転倒防止輪（２８）を設け面ファスナーバンドで巻張する事を特徴とする転倒防止腕及び椅子付き脚立天足場。
【請求項２】
椅子支持板（２）の椅子管取付け孔（１）椅子上下調整管（１８）を嵌挿し支持具（１６）を椅子支持板（２）の上と下に設け支持具ネジ（１７）で制御し回転座金（１３）と椅子高さ保持管（１２）に椅子高さ保持ハンドル（１５）を設け椅子高さ調整棒（２５）を遊貫し椅子保持板（１９）に椅子（２０）を固着し天足場保持孔（３）の上部からボルト（２２）を嵌通し椅子支持下受板（２６）を嵌着しスプリングワッシャー（２４）とナット（２３）及び頭ナット（２１）の間の脚立天足場を掴持する事を特徴とする請求項１の転倒防止腕及び椅子付き脚立天足場。
【発明の詳細な説明】
【技術の分野】
【０００１】            本発明は、果樹の手入れに特に梨棚や葡萄棚に作業能力向上と安全作業に貢献する転倒防止腕及び椅子付き脚立天足場に関するものである。
【背景の技術】
【０００２】            従来、果樹の高い所の作業には脚立や梯子又は踏台などが有ったが梨棚や葡萄棚のように鉄線で１９０センチ前後の高さに十字に棚状に張り巡る所では脚立を中々思うように使いこなせなく、そのために上を向いた状態での姿勢の作業は大変な重労働で有った。
【発明が解決しようとする課題】
【０００３】            そのために、簡単に鉄線の十字に交わる棚の間から上半身を出して椅子に腰を降ろし、その作業台に転倒防止を設けて安心に作業能率を要られるように問題を解決するものである。
【課題を解決するための手段】
【０００４】            脚立の天足場の上部に椅子を備えた足場を設け脚立上に取付け左右に転倒防止の治具を設け張り巡る鉄線に掛け脚立を支え転倒を防止する事を、特徴する転倒防止腕及び椅子付き脚立天足場である。
【０００５】            三脚足場の上部に新たに足場を半円状に製作し中央部に椅子部を設け高さを変える事もでき椅子が回転させる事も出来る為に３６０度の広範囲の作業ができる、そのために脚立の転倒や揺れを防止する腕を設け鉄線を利用し脚立と連結する事が出来るものである。
【発明の効果】
【０００６】            棚状の張り巡る鉄線に転倒防止腕を度の角度からでも掛けることがでる為に脚立の上部に設置した椅子付き脚立足場の上で安心して作業ができるので能率が向上し体の負担も軽減すし、既に使用している脚立にも使用できるので便利である。
【発明を実施するための最良の形態】
【０００７】            以下、本発明の実施の形態について図面を参照して説明する。
図１の天輪外足場６に天面足場７を着接し天内椅子支持４と天中足場８と天外椅子支持９を介在し椅子支持板２を重着し椅子管取付け孔１を二ヶ所に設け天足場保持孔３と天足場予備孔１４を穿設し天下見足場１０と天外足場１１を介在し転倒防止支持部５を左右に設けたもの。【０００８】            図２天輪外足場６に７，４，８，９，１０，１１，を介在し椅子支持板４，８，９の上に重接し転倒防止支持部５を設けたもの。【０００９】            図３の椅子支持板２の椅子管取付け孔１に椅子上下調整管１８を嵌挿し支持具１６を椅子支持板２の上下に嵌装し支持具ネジ１７で軸止し、回転座金１３を設け椅子高さ保持管１２に椅子高さ保持ハンドル１５で二重に椅子の高さを変えることができる、椅子高さ調整棒２５を遊貫し椅子保持板１９に椅子を固着し椅子支持板２の上部から頭ナット２１を上にボルト２２を天足場保持孔３に嵌通し椅子支持下受板２６の孔に嵌着しスプリングワッシャー２４とナット２３で取付ける。【００１０】            図４の椅子の上部を、かまぼこ型にすることより椅子が後前に傾いても腰を降ろした時に尻に違和感を感じない様にしたもの。【００１１】            図５の椅子支持下受板２６に椅子の位置を取付ける時に微調整するために椅子支持ボルト孔２７である。【００１２】            図６は、通常の脚立の天足場部に椅子付き脚立天足場を取付けもの。【００１３】            図７の面ファスナーバンド３０を転倒防止輪２８に通し転倒防止腕２９の先端にフックを設けたもの。【００１４】            図８の転倒防止腕２９のフックを本鉄線イに掛けた時。【００１５】            図９の転倒防止腕２９のフックを本鉄線イと横鉄線ウのクロスした所にけたところ。【００１６】            図１０の転倒防止腕２９の転倒防止輪２８に面ファスナーバンド３０を着し転倒防止支持５に巻張し脚立の天足場部に転倒防止腕及び椅子付き脚立天足場を取付けた状態のもので、椅子管取付け孔１の何方かに体に合う位置を使用するもの。【００１７】            図１１の転倒防止腕２９を本鉄線イに掛けて面ファスナーバンド３０を高さに合わせ転倒防止輪２８と転倒防止支持部５の部分で券張する事により安心して椅子２０に腰を降ろし足を天輪外足場６付近に置いて作業者アが作業をしている様子。
【図面の簡単な説明】
【００１８】
【図１】  本発明の平面図
【図２】  本発明のＡ−Ａ｀断面図
【図３】  本発明の正面図
【図４】  本発明の側面図
【図５】  本発明の平面図
【図６】  本発明の側面図
【図７】  本発明の正面図
【図８】  本発明の使用参考図
【図９】  本発明の使用参考図
【図１０】  本発明の参考平面図
【図１１】  本発明の使用参考図
【符号の説明】
【００１９】  １  椅子管取付け孔                    １６  支持具
２  椅子支持板                        １７  支持具ネジ
３  天足場保持孔                      １８  椅子上下調整管
４  天内椅子支持                      １９  椅子保持板
５  転倒防止支持部                    ２０  椅子
６  天輪外足場                        ２１  頭ナット
７  天面足場                          ２２  ボルト
８  天中足場                          ２３  ナット
９  天外椅子支持                      ２４  スプリングワッシャー
１０  天下見足場                        ２５  椅子高さ調整棒
１１  天外足場                          ２６  椅子支持下受板
１２  椅子高さ保持管                    ２７  椅子支持ボルト穴
１３  回転座金                          ２８  転倒防止輪
１４  天足場予備孔                      ２９  転倒防止腕
１５  椅子高さ保持ハンドル              ３０  面ファスナーバンド
Ａ  脚立支柱                            ア  作業者
Ｂ  踏台支柱                            イ  本鉄線
Ｃ  踏台                                ウ  横鉄線
Ｄ  脚立天足場                          エ  果樹
【図１】
2010236342.tif 000003
【図２】
2010236342.tif 000004
【図３】
2010236342.tif 000005
【図４】
2010236342.tif 000006
【図５】
2010236342.tif 000007
【図６】
2010236342.tif 000008
【図７】
2010236342.tif 000009
【図８】
2010236342.tif 000010
【図９】
2010236342.tif 000011
【図１０】
2010236342.tif 000012
【図１１】
2010236342.tif 000013